(57)【要約】      （修正有）【課題】購読代金の取扱を簡便にするような雑誌のカタログ販売システムを提供すると共に、購読回数を簡単に算出することができる方法を提供すること。【解決手段】（１）既に出版されているか、又は今後出版予定である複数の雑誌の各名称を含む表示、及び当該表示に対応している識別符号に基づいて、購読予定者が購読の申込を行う雑誌のカタログ販売システム（２）雑誌のカタログ販売主催者が有しているコンピュータにおいて、各雑誌の市場単価を記憶させたうえで、共通の購読代金に対応して、コンピュータにおいて下記の計算に基づいて、購読回数を算出することができる前記（１）の雑誌のカタログ販売システムにおける購読回数計算処理方法。〔（共通の購読代金−粗利）／雑誌の市場単価〕（但し、〔〕はガウス記号であって、上記計算による整数部分のみを表す。）【選択図】なし【特許請求の範囲】
【請求項１】
既に出版されているか、又は今後出版予定である複数の雑誌の各名称を含む表示、及び当該表示に対応している識別符号に基づいて、購読予定者が購読の申込を行う雑誌のカタログ販売システムにおいて、少なくとも一部の複数の雑誌につき、購読代金が共通していることに基づく雑誌のカタログ販売システム。
【請求項２】
掲載されている全雑誌の購読代金が複数の段階に設定されていることを特徴とする請求項１記載の雑誌のカタログ販売システム。
【請求項３】
掲載されている全雑誌の購読代金が、全雑誌について同一であることを特徴とする請求項１記載の雑誌のカタログ販売システム。
【請求項４】
雑誌のカタログ販売主催者が有しているコンピュータにおいて、各雑誌の市場単価を記憶させたうえで、共通の購読代金に対応して、コンピュータにおいて下記の計算に基づいて、購読回数を特定することによる請求項１記載の雑誌のカタログ販売システムにおける購読回数計算処理方法。
記
〔（共通の購読代金−粗利）／雑誌の市場単価〕
（但し、〔〕はガウス記号であって、上記計算による整数部分のみを表す。）
【請求項５】
掲載されている全雑誌の購読代金が複数の段階に設定されていることを特徴とする請求項４記載の計算処理方法。
【請求項６】
掲載されている全雑誌の購読代金が、全雑誌について同一であることを特徴とする請求項４記載の計算処理方法。
【請求項７】
雑誌と共に景品を送付することを特徴とする請求項１記載の雑誌のカタログ販売システム。
【請求項８】
取り扱われている雑誌のうち、市場単価×購読回数が最大値となる金額と、選択された雑誌の市場単価×購読回数の差額を算定し、当該差額の範囲内にある景品を購読における最初の段階にて送付するか、又は当該差額の金額／購読回数による金額の範囲内にある景品を、雑誌の配送の都度添付して送付することを特徴とする請求項７記載の雑誌のカタログ販売システム。
【発明の詳細な説明】
【技術分野】
【０００１】
本発明は、既に発行されている雑誌、又は将来発行される予定である雑誌を、購読予定者にカタログによって紹介したことに基づく雑誌のカタログ販売システムに関するものである。
【背景技術】
【０００２】
諸々の商品をカタログによって紹介し、かつ購読を行う販売システムは、周知であるが、色々な雑誌をカタログによって紹介し、かつ購読の媒介としている雑誌のカタログ販売システムは、社会的に浸透している訳ではない。
【０００３】
このような背景としては、雑誌の分野においては、出版社において自ら宣伝広告を行い易いが故に、専ら自社の雑誌のＰＲを行うも、他社の雑誌をも踏まえたうえでのＰＲを行う必要がないことから、各雑誌を総合的にカタログによって扱ったうえで、購読を促すシステムが生じ難かったことに由来している。
【０００４】
しかして、雑誌のカタログ販売において、各雑誌毎に、購読代金が相違する場合には、購読予定者及び雑誌のカタログ販売主催者にとっても、事務上の取扱いが極めて煩雑である。
【０００５】
しかるに、雑誌のカタログ販売においては、購読回数を各雑誌毎に共通させるような傾向があるため、逆に、各雑誌の市場単価の影響を受けて、購読回数についても、各雑誌毎に相違するような場合が少なからず設定されており、前記煩雑性を回避するような雑誌のカタログ販売システムは、これまで提唱されていない。
【発明の開示】
【発明が解決しようとする課題】
【０００６】
本発明は、購読代金に関する事務上の取扱いを極めて簡便にするような雑誌のカタログ販売システムの構成を提供すると共に、当該構成において購読回数を簡単に算出することができる方法を提供することを課題としている。
【課題を解決するための手段】
【０００７】
前記課題を解決するため、本発明の基本構成は、
（１）既に出版されているか、又は今後出版予定である複数の雑誌の各名称を含む表示、及び当該表示に対応している識別符号に基づいて、購読予定者が購読の申込を行う雑誌のカタログ販売システムにおいて、少なくとも一部の複数の雑誌につき、購読代金が共通していることに基づく雑誌のカタログ販売システム、
（２）雑誌のカタログ販売主催者が有しているコンピュータにおいて、各雑誌の市場単価を記憶させたうえで、共通の購読代金に対応して、コンピュータにおいて下記の計算に基づいて、購読回数を特定することによる前記（１）の雑誌のカタログ販売システムにおける購読回数計算処理方法、
記
〔（共通の購読代金−粗利）／雑誌の市場単価〕
（但し、〔〕はガウス記号であって、上記計算による整数部分のみを表す。）
からなる。
【発明の効果】
【０００８】
前記（１）の構成に基づき、購読予定者及び雑誌のカタログ販売主催者双方は、各雑誌につき、共通の購読代金という簡便な金銭上の事務処理に基づいて、少なくとも一部の複数  の雑誌につき、当該雑誌を選択したうえで、定期的な購読事務を行うことが可能となり、前記（２）は、極めて単純な計算によって、購読金額及び市場単価から、購読回数を簡単に算定することが可能となる。
【発明を実施するための最良の形態】
【０００９】
雑誌、カタログ販売において、取り扱う雑誌は、多岐にわたっており、このためにカタログに掲載されている雑誌の市場単価は、千差万別である。
【００１０】
他方、カタログ販売主催者において各雑誌の取扱いによって得られる粗利は、概略同程度であることから、選択された雑誌の購読回数を共通とした場合には、必然的にカタログ販売における購読代金は、各雑誌毎の市場単価を反映することになり、購読代金もまた千差万別とならざるを得ない（この点は、購読代金が前記粗利＋雑誌の市場単価×購読回数によって算定されることによっても明らかである。）。
【００１１】
しかるに、前記(１)の構成の場合のように、複数の雑誌につき共通の購読代金と設定した場合には、これらの複数の雑誌については、単一の購読代金にて事務処理を行うことが可能となり、購読予定者及び雑誌のカタログ販売主催者にとっては、金銭上の事務取扱いが極めて簡便なものとなる。
【００１２】
各雑誌毎の市場単価が相違しているにも拘らず、少なくとも一部の複数の雑誌につき、共通の購読代金を設定し得るのは、前記（２）のように、コンピュータによって、〔（共通の購読代金−粗利）／雑誌の市場単価〕という簡単な計算に基づく購読回数を当該複数の雑誌毎に算定することに由来している。
【００１３】
したがって、本発明は、共通の購読代金が設定されている掲載されている全雑誌の複数の雑誌については、購読回数がそれぞれ相違し得ることを基本的な前提としている。
【００１４】
カタログ販売において扱っている全雑誌について、前記共通の購読代金を複数段階設定するような実施形態、又は当該購読代金を全雑誌について同一であるような実施形態の何れをも採用可能である。
【００１５】
但し、購読代金を複数段階設定する場合よりも、同一金額である場合の方が、金銭上の事務上の取扱いがより簡便となる。
【００１６】
このように、前記(１)の構成において、購読代金を複数段階設定する場合と、購読代金が全て同一である場合に対応して、前記(２)の計算方法においても、双方による実施形態を採用することができる。
【００１７】
以下、実施例に即して説明する。
【実施例】
【００１８】
実施例においては、雑誌と共に景品を送付することを特徴としている。
【００１９】
通常、雑誌の市場単価×購読回数における金額は、各雑誌毎に一致する訳ではなく、多少のアンバランスが生ずることを避けることができない。
【００２０】
前記金額におけるアンバランスは、結局、雑誌のカタログ販売主催者における各雑誌毎の粗利のアンバランスとなって反映されざるを得ない。
【００２１】
しかしながら、粗利が雑誌毎に異なることは、購読予定者及び出版社との関係において、決して好ましいことではない。
【００２２】
実施例は、前記金額のアンバランスを回避することを目的としているが、実際の計算としては、取り扱われている雑誌の市場単価×購読回数が最大値となる金額と、選択された雑誌の市場単価×購読回数の差額を算定し、当該差額の範囲内にある景品を購読における最初の段階にて送付するか、又は当該差額／購読回数による代金の範囲内による景品を、雑誌配送の都度添付することになる。
【００２３】
このような計算上の措置を伴うことによって、前記アンバランスを可能な限り減少することができる。
【産業上の利用可能性】
【００２４】
本発明は、ポピュラーな一般雑誌において利用可能であるが、特定の産業分野、又は学術雑誌などの分野においても利用可能である。